(57)【要約】【課題】衣類のタンブラー乾燥を可能とすること。【解決手段】ウール単糸２１を含む撚糸２０によって構成されている。ウール単糸２１は、ウールの表皮であるスケールが除去されたものであり、撚糸２０は、中空糸である。【選択図】図３
0003219223.tif 000002
【実用新案登録請求の範囲】
【請求項１】
ウールからなる単糸を含む撚糸によって構成された衣類において、
前記単糸は、ウールの表皮であるスケールが除去されたものであり、
前記撚糸は、中空糸である、
衣類。
【請求項２】
当該衣類は、ジャケット、スラックス、またはスカートである、
請求項１に記載の衣類。
【考案の詳細な説明】
【技術分野】
【０００１】
本考案は、ウールからなる単糸を含む撚糸によって構成された衣類に関する。
【背景技術】
【０００２】
従来、例えばスーツのジャケットやスラックス、スカートなどの衣類は、ウールからなる単糸を含む撚糸を経糸及び緯糸とする織物によって構成されている。また、こうした衣類を構成する撚糸としては、ポリエステルなどの合成繊維からなる単糸が含まれているものもある。
【考案の概要】
【考案が解決しようとする課題】
【０００３】
ところで、こうしたウールを含む衣類の場合、洗濯後、乾燥機内において回転させながら熱や風を送り込むことで乾燥を行うタンブラー乾燥を行うと、以下の不都合が生じる。すなわち、タンブラー乾燥の際の熱や外力などによって、ウールの表皮である鱗状のスケールが開き、衣類に毛羽立ちが発生する。また、ウールは吸水性及び吸湿性が高く、乾燥しにくいことから、タンブラー乾燥に多くの時間を要する。その結果、乾燥時間が長くなることで、衣類が受けるダメージが増大しやすい。したがって、従来のウールを含む衣類はタンブラー乾燥に適していない。
【０００４】
本考案の目的は、タンブラー乾燥を可能とした衣類を提供することにある。
【課題を解決するための手段】
【０００５】
上記目的を達成するための衣類は、ウールからなる単糸を含む撚糸によって構成されたものにおいて、前記単糸は、ウールの表皮であるスケールが除去されたものであり、前記撚糸は、中空糸である。
【０００６】
同構成によれば、衣類を構成する撚糸には、表皮であるスケールが除去されたウールからなる単糸が含まれている。このため、タンブラー乾燥した場合に、ウールのスケールが開くことがなくなり、衣類の毛羽立ちを低減することができる。
【０００７】
また、上記構成によれば、撚糸は中空糸であるため、撚糸内部の通気性が向上する。これにより、タンブラー乾燥に要する時間を短縮することができ、衣類が受けるダメージを低減することができる。したがって、タンブラー乾燥を可能にすることができる。
【０００８】
上記衣類において、当該衣類は、ジャケット、スラックス、またはスカートである。
同構成によれば、タンブラー乾燥に不向きであったウールを含むジャケットや、スラックス、スカートのタンブラー乾燥が可能となる。
【考案の効果】
【０００９】
本考案によれば、衣類のタンブラー乾燥が可能となる。
【図面の簡単な説明】
【００１０】
【図１】衣類の一実施形態におけるスーツを示す図であり、（ａ）はジャケットを示す正面図、（ｂ）はスラックスを示す正面図。
【図２】同実施形態のスーツを構成するウール単糸を示す写真であって、（ａ）はスケール除去前の写真、（ｂ）はスケール除去後の写真。
【図３】同実施形態のスーツを構成する撚糸の断面を示す模式図であって、（ａ）は煮沸処理前の断面図、（ｂ）煮沸処理後の断面図。
【図４】同実施形態のスーツを構成する撚糸の断面を示す電子顕微鏡写真であって、（ａ）は煮沸処理前の写真、（ｂ）は煮沸処理後の写真。
【考案を実施するための形態】
【００１１】
以下、図１〜図４を参照して、本考案に係る衣類をスーツとして具体化した一実施形態について説明する。
図１（ａ）及び図１（ｂ）に示すように、スーツ１０は、ジャケット１１及びスラックス１２から構成されている。
【００１２】
ジャケット１１及びスラックス１２は、撚糸２０を経糸及び緯糸とする織物によって構成されている。撚糸２０は、ウールからなる単糸（以下、ウール単糸２１）とポリエステルからなる単糸（以下、ポリエステル単糸２２）とを撚って形成されており、ウール単糸２１及びポリエステル単糸２２の重量比が、略５０：５０となるように構成されている。
【００１３】
図２（ｂ）に示すように、ウール単糸２１は、ウールの表皮であるスケールが除去されたものである。図２（ａ）に示すように、通常、ウールには、鱗状のスケール２１ａが存在している。スケール２１ａを有するウールに対して周知の塩素処理、または酸化還元処理等を施すことにより、スケール２１ａが除去されたウール単糸２１が形成される。
【００１４】
図３（ａ）及び図４（ａ）に示すように、撚糸２０は、中空糸である。本実施形態では、以下のようにして撚糸２０が形成される。すなわち、ポリビニルアルコール（ＰＶＡ）からなる単糸（以下、ＰＶＡ単糸２３）を中心として囲むようにウール単糸２１とポリエステル単糸２２とを混紡することにより撚糸２０Ａが形成される。続いて、撚糸２０Ａに煮沸処理を施すことにより、撚糸２０Ａの中央に位置する水溶性のＰＶＡ単糸２３が除去される。このことにより、図３（ｂ）及び図４（ｂ）に示すように、中心に隙間が形成された撚糸２０が形成される。
【００１５】
次に、本実施形態の作用効果を説明する。
（１）衣類は、ウール単糸２１を含む撚糸２０によって構成されている。ウール単糸２１は、ウールの表皮であるスケールが除去されたものであり、撚糸２０は、中空糸である。
【００１６】
こうした構成によれば、衣類を構成する撚糸２０には、表皮であるスケールが除去されたウール単糸２１が含まれている。このため、タンブラー乾燥した場合に、ウールのスケールが開くことがなくなり、衣類の毛羽立ちを低減することができる。
【００１７】
また、上記構成によれば、撚糸２０は中空糸であるため、撚糸２０内部の通気性が向上する。これにより、タンブラー乾燥に要する時間を短縮することができ、衣類が受けるダメージを低減することができる。したがって、タンブラー乾燥を可能にすることができる。
【００１８】
（２）当該衣類は、ジャケット１１及びスラックス１２からなるスーツ１０である。
こうした構成によれば、タンブラー乾燥に不向きであったウールを含むスーツ１０（ジャケット１１及びスラックス１２）のタンブラー乾燥が可能となる。
【００１９】
＜変更例＞
上記実施形態は、例えば以下のように変更することもできる。上記実施形態及び以下の変更例は、技術的に矛盾しない範囲で互いに組み合わせて実施することができる。
【００２０】
・本考案に係る衣類は、上記実施形態において例示したジャケット１１及びスラックス１２からなるスーツ１０に限定されず、ジャケット及びスカートからなる女性用のスーツとして具体化することもできる。また、学生服やコートなど他の衣類として具体化することもできる。
【００２１】
・衣類におけるウールの重量比は、任意に変更することができる。
・ポリエステル単糸２２に代えて、ナイロンやアクリルなどポリエステル以外の合成繊維からなる単糸を採用することもできる。
【００２２】
・ウール単糸２１のみからなる撚糸と、ポリエステル単糸２２のみからなる撚糸とを交織してスーツ１０を形成することもできる。この場合であっても、ウール単糸２１は、スケール２１ａが除去されたものであればよい。また、ウール単糸２１のみからなる撚糸が中空糸であればよい。
【符号の説明】
【００２３】
１０…スーツ、１１…ジャケット、１２…スラックス、２０，２０Ａ…撚糸、２１…ウール単糸、２１ａ…スケール、２２…ポリエステル単糸、２３…ＰＶＡ単糸。
【図１】
0003219223.tif 000003
【図２】
0003219223.tif 000004
【図３】
0003219223.tif 000005
【図４】
0003219223.tif 000006